(57)【要約】【課題】作業者が液晶モジュールを容易に持ち上げることができ、液晶モジュールを前面キャビネットに装着する際に指を挟み込むことなく、安全かつ容易に組立作業を行なうことができる液晶表示装置及びそのための点灯回路ユニットを提供する。【解決手段】第１点灯回路ユニット１６ａ及び第２点灯回路ユニット１６ｂは、箱形状のケーシングに収容されており、ケーシングに把持部として機能する凹部１６３ａ，１６３ｂが一体成形されている（孔部であってもよい）。これにより、作業者は、液晶モジュールを容易に持ち上げることができ、液晶モジュールを前面キャビネットに装着する際に指を挟み込むことなく、安全かつ容易に組立作業を行なうことができる。また、作業者が把持部以外の部分を持つことを防止することができるので、液晶パネルに応力を加えてしまうなどの虞はない。【選択図】図２
2007293034.tif 000002
【特許請求の範囲】
【請求項１】
前面キャビネット及び背面キャビネットからなる空間に、液晶パネルと該液晶パネルの背面に配置されたシャーシにバックライト装置とを収容した液晶表示装置において、
前記シャーシを把持するための把持部を備えること
を特徴とする液晶表示装置。
【請求項２】
前記把持部は、前記シャーシに配置された回路基板を収容するケーシングに設けられていること
を特徴とする請求項１に記載の液晶表示装置。
【請求項３】
前記ケーシングは、光源を点灯制御する回路基板を収容し、前記シャーシの対向する２辺の縁に配置されていること
を特徴とする請求項１又は請求項２に記載の液晶表示装置。
【請求項４】
各ケーシングの把持部は、
前記シャーシの略中央を対称中心として略点対称の位置に設けられていること
を特徴とする請求項３に記載の液晶表示装置。
【請求項５】
前記把持部は、前記ケーシングに一体成形された凹部又は孔部であること
を特徴とする請求項２乃至請求項４のいずれか１つに記載の液晶表示装置。
【請求項６】
光源を点灯させるための点灯回路が実装された回路基板がケーシングに収容された点灯回路ユニットにおいて、
前記ケーシングに把持部を備えること
を特徴とする点灯回路ユニット。
【発明の詳細な説明】
【技術分野】
【０００１】
本発明は、前面キャビネット及び背面キャビネットに、液晶パネルと該液晶パネルの背面に配置されたシャーシにバックライト装置とを収容した液晶表示装置の組立作業を容易にするための液晶表示装置、及び光源を点灯させるための点灯回路が実装された回路基板がケーシングに収容された点灯回路ユニットに関する。
【背景技術】
【０００２】
近年、様々な表示装置が実用化されているが、表示装置の一種である液晶表示装置は、小型、薄型、低消費電力を特徴とし、近年ではその表示品位の向上により、従来のＣＲＴに替わるディスプレイとして普及しつつある。特筆すべきは、薄型ディスプレイとしての特徴により一般の家庭でも大画面を楽しめることを可能にしたところにある。
【０００３】
また、液晶表示装置は、同表示サイズのＣＲＴと比較して極めて軽量となることから、前面キャビネット及び背面キャビネットで構成される筐体に把手を設けることにより、容易に持ち運びができる。例えば、特許文献１には、筐体に把手を一体形成することにより、部品点数を削減してコストダウンが可能となる把手構造が開示されている。
【０００４】
液晶表示装置は、液晶パネルと該液晶パネルの背面に配置されたバックライト装置とが、前面キャビネット及び背面キャビネットによって形成された空間内に収容されている。バックライト装置は、前面が開口された直方体状のバックライトシャーシに、ランプクリップが固定されており、ランプクリップが、略平行に配列された光源としての発光管の直管部分を支持している。また、バックライトシャーシの背面には、点灯回路ユニット及び電源ユニットが配置されている。点灯回路ユニットは、光源としての発光管を点灯させるための点灯回路が実装された回路基板がケーシングに収容されたものである。
【０００５】
一般的には、液晶パネル、バックライト装置、点灯ユニット及び電源ユニットを液晶モジュールとして組み立て、液晶モジュールを前面キャビネットに配置した後、背面キャビネットで覆って液晶表示装置を製造する。
【特許文献１】実開平５−３５６５８号公報
【発明の開示】
【発明が解決しようとする課題】
【０００６】
ところで、画面サイズの大型化に伴って、液晶モジュールの外寸が大きくなるとともに、重量が重くなるため、作業性が悪化する。特に、液晶表示装置を薄型化及び小型化するためには、前面キャビネットと液晶モジュールとの隙間を極力小さくすることが好ましい。しかしながら、作業者がバックライトシャーシの辺縁を持って液晶モジュールを前面キャビネットに配置する際に、前面キャビネットと液晶モジュールとの隙間に指を挟み込んだり、持ち方によっては、液晶パネルに指が引っかかって応力を加えてしまうなどの虞があった。
【０００７】
また、特許文献１に開示された技術は、あくまで、前面キャビネット及び背面キャビネットで構成される筐体に把手となる凹部を一体成形したものであって、液晶表示装置の製造の際には把手の利用価値はない。
【０００８】
本発明は斯かる事情に鑑みてなされたものであり、作業者が液晶モジュールを容易に持ち上げることができ、液晶モジュールを前面キャビネットに装着する際に指を挟み込むことなく、安全かつ容易に組立作業を行なうことができる液晶表示装置及びそのための点灯回路ユニットの提供を目的とする。
【課題を解決するための手段】
【０００９】
本発明に係る液晶表示装置は、前面キャビネット及び背面キャビネットからなる空間に、液晶パネルと該液晶パネルの背面に配置されたシャーシにバックライト装置とを収容した液晶表示装置において、前記シャーシを把持するための把持部を備えることを特徴とする。
【００１０】
本発明にあっては、前面キャビネット及び背面キャビネットからなる空間に、液晶パネルと該液晶パネルの背面に配置されたシャーシ（バックライト装置のシャーシ）にバックライト装置とが収容される。そして、シャーシを把持するための把持部を備えることにより、作業者は、各種のユニットが配置された液晶モジュールを容易に持ち上げることができ、安全かつ容易に組立作業を行なうことができる。また、作業者が把持部以外の部分を持つことを防止することができるので、液晶パネルに応力を加えてしまうなどの虞はない。
【００１１】
本発明に係る液晶表示装置は、前記把持部が前記シャーシに配置された回路基板を収容するケーシングに設けられていることを特徴とする。
【００１２】
本発明にあっては、回路基板を収容するケーシングに把持部を設ける。これにより、ケーシングに設けた把持部を使って、作業者は安全かつ容易に組立作業を行なうことができる。ケーシングに把持部を設けるので、新たに把持部用の部材を追加する必要がない。
【００１３】
本発明に係る液晶表示装置は、前記ケーシングが光源を点灯制御する回路基板を収容し、前記シャーシの対向する２辺の縁に配置されていることを特徴とする。
【００１４】
本発明にあっては、光源を点灯制御する回路基板を収容したケーシングが、シャーシの対向する２辺の縁に配置されている。これにより、２つの把持部を使って、作業者は、安全かつ容易に組立作業を行なうことができる。また、作業者が把持部以外の部分を持つことを防止することができるので、液晶パネルに応力を加えてしまうなどの虞はない。
【００１５】
本発明に係る液晶表示装置は、各ケーシングの把持部が前記シャーシの略中央を対称中心として略点対称の位置に設けられていることを特徴とする。
【００１６】
本発明にあっては、シャーシの略中央を対称中心として略点対称の位置に各ケーシングの把持部を設ける。これにより、把持部を結ぶ直線上に、シャーシの略中央の重心点が位置することになるので、シャーシを水平に保持した状態で作業を行なうことができる。
【００１７】
本発明に係る液晶表示装置は、前記把持部が前記ケーシングに一体成形された凹部又は孔部であることを特徴とする。
【００１８】
本発明にあっては、ケーシングに一体成形された凹部又は孔部を把持部とすることにより、把手のような別部材を把持部とした場合と比較して低コストで把持部を設けることができる。
【００１９】
本発明に係る点灯回路ユニットは、光源を点灯させるための点灯回路が実装された回路基板がケーシングに収容された点灯回路ユニットにおいて、前記ケーシングに把持部を備えることを特徴とする。
【００２０】
本発明にあっては、点灯回路ユニットのケーシングに把持部を設けることにより、ケーシングに設けた把持部を使って、作業者は安全かつ容易に組立作業を行なうことができる。点灯回路ユニットを上述した液晶表示装置に用いる場合、点灯回路ユニットを簡単に手で掴むことができ、シャーシ（バックライト装置のシャーシ）に取り付けることができる。取り付けた後は上述と同様である。
【発明の効果】
【００２１】
本発明によれば、シャーシを把持するための把持部を備える構成とすることにより、作業者は、各種のユニットが配置された液晶モジュールを容易に持ち上げることができ、安全かつ容易に組立作業を行なうことができ、また、作業者が把持部以外の部分を持つことを防止することができるので、液晶パネルに応力を加えてしまうなどの虞はない。
【００２２】
本発明によれば、シャーシの略中央を対称中心として略点対称の位置に各ケーシングの把持部を設ける構成としたので、把持部を結ぶ直線上に、シャーシの略中央の重心点が位置することになり、シャーシを水平に保持した状態で作業を行なうことができる。
【００２３】
本発明によれば、ケーシングに一体成形された凹部又は孔部を把持部とする構成としたので、低コストで把持部を設けることができる。
【００２４】
本発明によれば、点灯回路ユニットのケーシングに把持部を設ける構成としたので、ケーシングに設けた把持部を使って、作業者は安全かつ容易に組立作業を行なうことができ、点灯回路ユニットを上述した液晶表示装置に用いる場合、点灯回路ユニットを簡単に手で掴むことができ、シャーシ（バックライト装置のシャーシ）に取り付けることができる等、優れた効果を奏する。
【発明を実施するための最良の形態】
【００２５】
以下、本発明をその実施の形態を示す図面に基づいて詳述する。
【００２６】
図１は本発明に係る液晶表示装置の構成例を示すブロック図である。
本発明に係る液晶表示装置は、制御部１１、操作部１２、チューナ部１３、液晶駆動ユニット１４、液晶パネル１５、点灯回路（インバータ）ユニット１６、バックライト装置１７、電源ユニット１８などを備えている。制御部１１は、具体的にはＣＰＵで構成されており、バスを介して上述したハードウェア各部と接続されていて、それらを制御すると共に、内蔵するＲＯＭに格納された制御プログラムに従って、種々の機能を実行する。
【００２７】
操作部１２は、液晶表示装置を操作するための各種のファンクションキーなどを備えている。それ自体公知のオン・スクリーン・ディスプレイ（ＯＳＤ）を液晶パネル１５に表示して、輝度、コントラスト及び色温度などの各種設定を行なえるようになっている。
【００２８】
チューナ部１３は、例えば放送中継基地の方向に向けて配置されたアンテナに接続されており、放送中継基地から送信された映像信号のうちの特定周波数帯域の映像信号を選択して復調する機能を有する。現在、広く利用されている地上波の周波数帯域は、ＶＨＦ帯の低域（９０Ｍ〜１０８ＭＨｚ）、ＶＨＦ帯の高域（１７０Ｍ〜２２２ＭＨｚ）、ＵＨＦ帯（４７０Ｍ〜７７０ＭＨｚ）であり、この周波数帯域から、利用者によって指定された１チャネルの映像信号を選択して液晶駆動ユニット１４へ入力する。もちろん、地上デジタル放送、衛星放送、ケーブルテレビ放送などに対応したチューナであってもよい。
【００２９】
液晶駆動ユニット１４は、主としてゲートドライバー１４ａとソースドライバー１４ｂとから構成されており、チューナ部１３によって復調された映像信号に基づくゲート信号及びデータ信号によって液晶パネル１５を駆動する。なお、輝度、コントラスト及び色温度などの各種設定に応じて映像信号に補正をかけるようにしてある。
【００３０】
液晶パネル１５には一対の透明板が対向配置され、その間隙内に液晶物質が封入された液晶層が形成されている。一方の透明板にはマトリックス状に配置されたＩＴＯ、ＮＥＳＡなどの透明性の画素電極と、画素電極への電荷の供給を制御するためのＴＦＴとが形成されており、他方の透明板にはコモン電極と呼ばれる透明性の共通電極が形成されている。ＴＦＴのゲート及びソースは、それぞれゲートドライバー１４ａおよびソースドライバー１４ｂの各出力段に接続されている。液晶パネル１５は、ゲートドライバー１４ａから入力されたゲート信号によって各画素のオン／オフが制御され、ソースドライバー１４ｂから入力されたデータ信号をオン期間に各画素へ印加することによって、液晶物質の電気光学特性によって決定される光透過率を制御する。
【００３１】
さらに、液晶パネル１５の背面に複数の光源（発光管１７ａ，１７ａ，…）からなるバックライト装置１７が配置されている。バックライト装置１７には、寿命が長く自然光に近い白色光が発光され、発生する熱が小さい冷陰極線放電管（ＣＣＦＬ）が用いられる。
【００３２】
点灯回路ユニット１６は、発光管１７ａ，１７ａ，…を発光させるのに必要な高圧まで昇圧させるとともに、フリッカを抑制するために周波数を調整する機能を有しており、本発明では、一対の第１点灯回路ユニット１６ａ，第２点灯回路ユニット１６ｂから構成されている。発光管１７ａ，１７ａ，…は両端に電極が設けられ、各電極は対応する点灯回路ユニットにそれぞれ接続されている。第１点灯回路ユニット１６ａ及び第２点灯回路ユニット１６ｂによって、両極に高電圧が印加されることによって、発光管１７ａ，１７ａ，…が発光する。このように、液晶表示装置は、バックライト装置１７から発光される光の液晶パネル１５における透過率を制御して映像を表示する。
【００３３】
図２は本発明に係る液晶表示装置の構成の一例を示す斜視図であり、本発明の特徴がわかるようにキャビネットを取り除いた状態を示し、また、各ユニット間の配線を省略する。
本発明に係る液晶表示装置では、液晶パネル１５及びバックライト装置１７が図示しない前面キャビネット及び背面キャビネットによって形成された空間内に配置されている。スタンド１９は、液晶表示装置の重量を支持できるように高強度な金属が用いられ、その形状をブーメラン状としている。
【００３４】
バックライト装置１７は、バックライトシャーシ１７１を基体としており、バックライトシャーシ１７１の背面には、制御部１１、チューナ部１３、液晶駆動ユニット１４、電源ユニット１８、第１点灯回路ユニット１６ａ、第２点灯回路ユニット１６ｂなどが配置されている。なお、詳細は後述するが、上述した各ユニット（制御部１１、チューナ部１３、液晶駆動ユニット１４、電源ユニット１８、第１点灯回路ユニット１６ａ、第２点灯回路ユニット１６ｂ）がバックライトシャーシ１７１の背面に配置されたバックライト装置１７に液晶パネル１５が搭載されたものを液晶モジュールと呼び、液晶モジュールを前面キャビネットに配置した後、背面キャビネットで覆って液晶表示装置を製造する。
【００３５】
液晶駆動ユニット１４は、映像信号を液晶パネル１５に与えるものであるから、左右方向の中央部に配置することが好ましく、本例では中央上部の位置に配置されている。これは、映像の品位に直接的に影響を及ぼすデータ信号を左右対称な位置から与えることが好ましいからである。このことから、液晶駆動ユニット１４が中央下部の位置に配置されていてもよい。
【００３６】
チューナ部１３は、本例では制御部１１と接続する必要があることから、制御部１１の近傍に配置される。本例では、制御部１１の下側にチューナ部１３を配置する。
【００３７】
第１点灯回路ユニット１６ａ及び第２点灯回路ユニット１６ｂは、光源としての発光管１７ａ，１７ａ，…を点灯させるためのものであり、発光管１７ａ，１７ａ，…の両端部それぞれに対応する位置に配置される。本例では、第１点灯回路ユニット１６ａを左端部に、第２点灯回路ユニット１６ｂを右端部にそれぞれ配置する。
【００３８】
電源ユニット１８は、各種ユニットに電源を供給するものであり、本例では、上述した各ユニットの配置位置による重量バランスを考慮して、液晶駆動ユニット１４と第２点灯回路ユニット１６ｂとの間の領域に配置する。なお、電源ユニット１８は第１点灯回路ユニット１６ａ及び第２点灯回路ユニット１６ｂへ電源を供給することから、図３に示すように、２つの電源ユニット（第１電源ユニット１８ａ、第２電源ユニット１８ｂ）に分割し、第１電源ユニット１８ａを第１点灯回路ユニット１６ａの近傍に、第２電源ユニット１８ｂを第２点灯回路ユニット１６ｂの近傍に配置するようにしてもよい。各電源ユニットを対応する点灯回路ユニットの近傍に配置することによって、電源ユニットと点灯回路ユニットとを接続するためのケーブルの配線長を短くすることができ、配線からの輻射ノイズを低減することができる。
【００３９】
図４は本発明に係る点灯回路ユニットの一例を示す斜視図であり、同図（ａ）は開口面側からの斜視図、同図（ｂ）は底面側からの斜視図である。
点灯回路ユニット１６（第１点灯回路ユニット１６ａ及び第２点灯回路ユニット１６ｂ）は、底板１６１及び該底板１６１の四辺から立設された周壁１６２を有する箱形状をなすケーシング１６０に、発光管１７ａ，１７ａ，…を点灯させるための点灯回路が実装された回路基板１６５が収容されている。本例では、回路基板１６５がケーシング１６０の底板１６１に取り付けられている形態を示している。
【００４０】
また、ケーシング１６０の周壁１６２には把持部として機能する凹部１６３が一体成形により設けられている。このように、点灯回路ユニット１６のケーシング１６０に凹部１６３を設けることによって、図５に示すように、作業者は、液晶モジュール１を容易に持ち上げることができ、液晶モジュール１を前面キャビネット３に装着する際に指を挟み込むことなく、安全かつ容易に組立作業を行なうことができる。また、作業者が把持部１６３ａ，１６３ｂ以外の部分を持つことを防止することができるので、液晶パネルに応力を加えてしまうなどの虞はない。
【００４１】
また、図２及び図３に示したように、第１点灯回路ユニット１６ａの凹部１６３ａと第２点灯回路ユニット１６ｂの凹部１６３ｂとは、バックライトシャーシ１７１の略中央を対称中心として略点対称の関係となる位置に設けられている。本例では、第１点灯回路ユニット１６ａの凹部１６３ａはバックライトシャーシ１７１の左上に、第２点灯回路ユニット１６ｂの凹部１６３ｂはバックライトシャーシ１７１の右下に、それぞれ設けられている。
【００４２】
これにより、把持したときの重心がバックライトシャーシ１７１の略中央となり、バックライトシャーシ１７１を水平に保ったままの作業を行なうことができ、液晶モジュールの外寸が大きくなった場合などに好適である。
【００４３】
以上、本発明に係る液晶表示装置及び点灯回路ユニットについて、具体的な実施の形態を示して説明したが、本発明はこれらに限定されるものではない。当業者であれば、本発明の要旨を逸脱しない範囲内において、上述した実施の形態に係る発明の構成及び機能に様々な変更又は改良を加えることが可能であり、作業者が液晶モジュール１を容易に持ち上げることができ、液晶モジュール１を前面キャビネット３に装着する際に指を挟み込むことなく、安全かつ容易に組立作業を行なうことを可能にすることが本発明の主旨である。
【００４４】
例えば、実施の形態では、凹部１６３をケーシング１６０に一体成形することによって、凹部１６３が把持部として機能する形態について説明したが、作業者の手指が入るような形状であれば、ケーシング１６３を貫通する孔部を把持部とする形態であってもよい。
【００４５】
また、図６に示すように、把手１６４ａ，１６４ｂのような別部材を第１点灯回路ユニット１６ａ，第２点灯回路ユニット１６ｂのケーシングに固定することによって把持部とする形態であってもよい。さらに、図７に示すように、点灯回路ユニットのケーシングに把持部を設けるのではなく、バックライトシャーシ１７１の辺縁に把持部としての把手１７２ａ，１７２ｂを設けるようにしてもよい。
【００４６】
また、実施の形態では、第１点灯回路ユニット１６ａを発光管の左端部側に、第２点灯回路ユニット１６ｂを発光管の右端部側にそれぞれ配置した大型の液晶表示装置を一例に説明したが、図８に示すように、比較的小型の液晶表示装置など点灯回路ユニット１６が片側（ここでは左側）にしかない場合は、点灯回路ユニット１６に把持部１６４を設け、点灯回路ユニット１６が配置された辺縁の対辺側に配置されている電源ユニット１８のケーシングに把持部１６６を追加することで対応でき、把持部を設ける位置について限定されるものではない。
【００４７】
さらに、実施の形態のような天地方向の位置に限定されるものではなく、例えば、図９に示すように、第１点灯回路ユニット１６ａ及び第２点灯回路ユニット１６ｂのケーシングの長手方向の一方の先端から他方の先端にかけて把持部１６５ａ，１６５ｂを設けてもよいし、図１０に示すように、バックライトシャーシ１７１の対向する辺縁に、長さがバックライトシャーシ１７１の辺長程度の大型の把持部１７３ａ，１７３ｂを設けるようにしてもよい。
【００４８】
さらにまた、実施の形態では、把持部が２箇所に設けられた形態について説明したが、把持部の個数について限定されるものではなく、図１１に示すように、バックライトシャーシ１７１の一辺縁にのみ把持部１７２ａを１つ設けるようにしてもよいし、逆に、３つ以上の把持部をバックライトシャーシのそれぞれ適宜の位置に設けるようにしてもよい。
【図面の簡単な説明】
【００４９】
【図１】本発明に係る液晶表示装置の構成例を示すブロック図である。
【図２】本発明に係る液晶表示装置の構成の一例を示す斜視図である。
【図３】本発明に係る液晶表示装置の構成の別の一例を示す斜視図である。
【図４】本発明に係る点灯回路ユニットの一例を示す斜視図である。
【図５】液晶モジュールを前面キャビネットに配置するときの様子を示す図である。
【図６】本発明に係る液晶表示装置の構成の別の一例を示す斜視図である。
【図７】本発明に係る液晶表示装置の構成の別の一例を示す斜視図である。
【図８】本発明に係る液晶表示装置の構成の別の一例を示す斜視図である。
【図９】本発明に係る液晶表示装置の構成の別の一例を示す斜視図である。
【図１０】本発明に係る液晶表示装置の構成の別の一例を示す斜視図である。
【図１１】本発明に係る液晶表示装置の構成の別の一例を示す斜視図である。
【符号の説明】
【００５０】
１１  制御部
１３  チューナ部
１４  液晶駆動ユニット
１５  液晶パネル
１６  点灯回路ユニット
１６ａ  第１点灯回路ユニット
１６ｂ  第２点灯回路ユニット
１７  バックライト装置
１７ａ，１７ａ，…  発光管（光源）
１８  電源ユニット
１６０  ケーシング
１６５  回路基板
１７１  バックライトシャーシ
【図１】
2007293034.tif 000003
【図２】
2007293034.tif 000004
【図３】
2007293034.tif 000005
【図４】
2007293034.tif 000006
【図５】
2007293034.tif 000007
【図６】
2007293034.tif 000008
【図７】
2007293034.tif 000009
【図８】
2007293034.tif 000010
【図９】
2007293034.tif 000011
【図１０】
2007293034.tif 000012
【図１１】
2007293034.tif 000013